(57)【要約】      （修正有）【課題】  この防水ファスナーは締付力が小さく、そのため、これに対して外部から引張力が働いた場合に口が開きにくい防水二重ファスナーを提供。【解決手段】ジッパー型ファスナー部分５と防水ファスナー部分６とを二重構造防水ファスナーとし、このジッパー型ファスナー部分５で大きな締付け力を与え外部の引張力に抵抗させる。一方、防水ファスナー部分はジッパー型ファスナー部分に取付けられこれにより、防水ファスナー部分がジッパー型ファスナー部分に重なる様にしている。ジッパー型ファスナー部分と防水ファスナー部分とを１つの一体化されたスライド片により共通に締付けるようにすることで、外部からの引張力に強い防水ファスナーが実現できた。【選択図】図１
2007050266.tif 000002
【特許請求の範囲】
【請求項１】
防水二重ファスナーであって、
２列の歯状部分を有するテープを備えたジッパー型ファスナー部分であって、
前記テープがファスナーを取付けた目的物の別個の部分にそれぞれ取付けられて
いるものと、
膨出した縁部と溝付の縁部を有するとともに、前記のジッパー型ファスナー部
分のテープに取付けられた防水ファスナー部分であって、この防水ファスナー部
分がジッパー型ファスナー部分に重なっているものと、
からなる防水二重ファスナー。
【請求項２】
請求の範囲１に記載の防水二重ファスナーであって、前記のジッパー型ファス
ナー部分と防水ファスナー部分とがそれぞれのスライド片を備えており、これら
スライド片により別個に締付けられる防水二重ファスナー。
【請求項３】
請求の範囲１に記載の防水二重ファスナーであって、前記のジッパー型および
防水ファスナー部分が１つの一体化されたスライド片により共通に締付けられ、
このスライド片が、ファスナー部分の歯状部分および膨出した縁部と溝付縁部と
に対応する形状を有する２種のファスナー溝を有する防水二重ファスナー。
【請求項４】
請求の範囲１に記載の防水二重ファスナーであって、前記のジッパー型ファス
ナー部分のテープが織物地よりなり、この織物地は、高周波溶着方法を用いて、
前記の防水ファスナー部分と前記のファスナーを取付けた目的物との双方に溶着
するのに適した材料を用いて織成される防水二重ファスナー。
【発明の詳細な説明】
【技術分野】
【０００１】
この発明は、テント、バッグ、ブーツ、袋、衣服、手袋等に用いるファスナー
全般に関するものであり、特に、このようなファスナーにおいて優れた防水と大
きな締付強度を与える構造的な改良に関するものである。
【発明の開示】
【発明が解決しようとする課題】
【０００２】
当業者に周知されているように、ファスナーを取付けた目的物、特に、テント
、バッグ、ブーツ、袋、衣服、手袋等の開口を閉じるために、または、これらのも
のの別々の部分を互いに固定するために、例えば、ジッパー型ファスナーや防水
ファスナー等の種々のファスナーが用いられている。公知のジッパー型ファスナ
ーは、金属またはプラスチックよりなる２列の歯状部分を有し、スライド片を引
いてこれら部分の上に走行させることにより、これら部分を相引き寄せて一体と
成す。一方、防水ファスナーは２つのフレキシブルなテープより形成されており
、これらのテープは、ＰＶＣ（塩化ビニル）またはＰＵ（ポリウレタン）等の合成
樹脂よりなり、互いに係合して、特にバッグ等の開口部を気密的または水密的に
閉鎖する。公知の防水ファスナーにおいて用いられるテープの１つは膨出した縁
を有しており、これに対し、他のテープは溝付の縁を有しており、これにより第
１のテープの膨出した縁を密に収納し、これにより、目的物の開口部を気密的ま
たは水密的に閉塞する。
【０００３】
この公知のジッパー型ファスナーは次のような効果を有する。すなわち、この
ファスナーは２列の歯状部分を有しており、これにより、目的物の別々の部分を
強固に一体に固定する。すなわち、ジッパー型ファスナーは大きい締付力を有す
る。しかし、ジッパー型ファスナーは次の問題を有する。すなわち、互いに締付
けられた歯状部分に複数の小さな空隙が残る。したがって、ジッパー型ファスナ
ーを、防水性を必須とする目的物に用いることはできない。一方、防水ファスナ
ーは、その２つのテープの膨出した縁と溝付の縁とが互いに気密的または水密的
に係合するので、優れた防水を発揮する。しかし、防水ファスナーは締付力が小
さく、そのため、これに対して外部から引張力が働いた場合に口が開きやすい問
題がある。
【課題を解決するための手段】
【０００４】
したがって、この発明の１つの目的は、前記の２つの種類のファスナー、すな
わち、ジッパー型ファスナーと防水ファスナーとを単一体に一体化することによ
り前記問題点を克服するとともに、前記２つの種類のファスナーの優れた防水と
高い締付力との利点を備えた防水二重ファスナーを提供するところにある。
【０００５】
前記目的を達成するために、この発明の防水二重ファスナーは、２種のファス
ナー部分、すなわち、ジッパー型ファスナー部分および防水ファスナー部分から
形成されている。ジッパー型ファスナー部分には、２列の歯状部分を備えたテー
プが備えられている。ジッパー型ファスナー部分のテープはファスナーを取付け
る目的物の別々の部分にそれぞれ取付けられる。一方、防水ファスナー部分は膨
出した縁と溝付縁とを有するテープを備えており、ジッパー型ファスナーのテー
プに取付けられて、これにより、防水ファスナー部分がジッパー型ファスナー部
分に重なる。
【０００６】
この二重ファスナーにおいて、防水ファスナー部分はファスナーに防水を付与
し、これにより、湿気がファスナーを通過してファスナーを取付けた部分の内部
に進入することをほぼ完全に防ぐことができる。防水ファスナー部分の内側にあ
るジッパー型ファスナー部分は、ファスナーの防水を向上させるのみならず、大
きい締付力をファスナーに与え、これにより、ファスナーを外部からの引張力に
対して抵抗させる。
【０００７】
この発明においては、ジッパー型ファスナー部分と防水ファスナー部分とがそ
れぞれのスライド片を有し、両部分をこれらスライド片により別々に締付けるよ
うにすることができる。これに代えて、ジッパー型ファスナー部分と防水ファス
ナー部分とが、１つの一体化されたスライド片により共通に締付けられてもよい
。
【０００８】
この一体化されたスライド片は、ファスナー部分の歯状部分と膨出した縁と溝付
縁とに対応する形状の２種のファスナー溝を有している。
【０００９】
シッパー型ファスナー部分のテープは織地より形成される。この織地は、高周
波溶着方法により防水ファスナー部分とファスナーを取付けた目的物との双方に
溶着するのに適切な材料を用いて製造される。１つの実施態様において、このジ
ッパー型ファスナー部分のテープは、公知の合成繊維糸と熱可塑性合成樹脂糸と
を経糸および緯糸として用いて織成することにより製造される。
【発明の効果】
【００１０】
前記したように、この発明は、ジッパー型ファスナーおよび防水ファスナー部
分を単一体にまとめることにより形成された防水二重ファスナーを提供する。こ
のダブルファスナーにおいて、ジッパー型ファスナー部分の２列の歯状部分を有
するテープが、ファスナーを取付けた目的物の別々の部分の縁部に取付けられる
。
【００１１】
このような目的物としては、特に、テント、バッグ、ブーツ、袋、手袋および衣
服等である。一方、防水ファスナー部分はジッパー型ファスナー部分に取付けら
れて、これにより、防水ファスナー部分がジッパー型ファスナー部分に重なる。
【００１２】
これら２つのファスナー部分は、それぞれのファスナー部分のための２種のファ
スナー溝を有する１つの一体のスライド片により操作するようにできる。これに
代えて、２つのファスナー部分を、これらファスナー部分のそれぞれのファスナ
ー溝が設けられたそれぞれのスライド片により操作するようにしてもよい。この
二重ファスナーにおいては、ジッパー型ファスナー部分はファスナーに対し大き
い締付力を与え、防水ファスナー部分はファスナーに対して防水を付与する。こ
の発明の二重ファスナーは、特に、テント、バッグ、ブーツ、袋、衣服、手袋等
の様々の商品について極めて効率よく用いることができる。
【００１３】
この二重ファスナーを、例えば、テントの開口部に用いる場合には、防水ファ
スナー部分は、湿気、埃、および大気の冷気が二重ファスナーを通ってテントの
内部に入ることをほぼ完全に防止することができる。一方、ジッパー型ファスナ
ー部分はファスナーに対して大きい締付力を与えて、それにより、外部からの引
張力がファスナーに与えられた際にも、ファスナーが突然開くことをほぼ完全に
防止する。このようにして、この二重ファスナーを備えたテントは品質が向上す
る。
【００１４】
もちろん、この発明の二重ファスナーは他の商品について、例えば、バッグ、
ブーツ、袋、衣服、手袋等についても使用が可能であり、この場合にも、テント
の場合と同様の効果を、この発明の機能に影響を与えることなく奏することがで
きる。
【００１５】
この発明の好ましい実施態様を例示の目的で開示したが、添付の請求の範囲に
記載のこの発明の範囲と精神から逸脱することなく、当業者が種々の変更、追加
および入替えを行うことが可能であることを理解されたい。
【発明を実施するための最良の形態】
【００１６】
図１は、この発明の第１の実施例の防水二重ファスナーの構造を示す斜視図で
ある。図１に示すように、この発明の二重ファスナー１０は２つのファスナー部
分を有している。すなわち、ジッパー型ファスナー部分５と防水ファスナー部分
６とである。ジッパー型ファスナー部分５の２列の歯状部分を有するテープが、
ファスナーを取付けた目的物の別々の部分の縁に取付けられている。このような
目的物としては、特に、テント、バッグ、袋、手袋および衣服類である。また、
防水ファスナー部分６がジッパー型ファスナー部分５に取付けられている。その
場合、防水ファスナー部分６がジッパー型ファスナー部分５に重なるように取付
けられ、両部分５，６の間には空間が形成される。この二重ファスナー１０にお
いて、ジッパー型ファスナー部分５は大きい締付強度をファスナー１０に与え、
一方、防水ファスナー部分６は防水をファスナー１０に付与する。この発明の実
施態様において、二重ファスナー１０は、例えばテントに使用する。
【００１７】
前記の２つのファスナー部分５，６はそれぞれスライド片を有し、別個に操作
するようにできる。また、これに代えて、２つ部分５，６につき１つの一体のス
ライド片を共通に設けて、同時に操作するようにしてもよい。
【００１８】
図１に示す第１の実施例によれば、２つのファスナー部分５，６には、それぞ
れのスライド片１１，１２が設けられており、これにより、２つの部分５，６が
別々に操作される。この実施態様において、ジッパー型ファスナー部分５の第１
のスライド片１１は従来のジッパー型ファスナーのスライド片と同じ形状と構造
を有している。防水ファスナー部分６の第２のスライド片１２においては、締付
溝２の形状は、部分６の膨出した縁と溝付の縁の形状と対応した形状を成してい
る。
【００１９】
図４は、この発明の他の実施例による二重ファスナーの構造を示す斜視図であ
る。この実施態様において、２つのファスナー部分５，６は一体のスライド片１
により共通に操作される。このスライド片１においては、防水ファスナー部分６
のためのファスナー溝２が上部に形成されていて、防水ファスナー部分６の膨出
した縁と溝付の縁と同じ形状をしている。第２のファスナー溝３はスライド片１
の下部に形成されていて、ジッパー型ファスナー部分５を締付けるために用いら
れる。
【００２０】
前記のスライド片１，１１，１２のそれぞれにはハンドル４が公知の態様で設
けられている。
【００２１】
前記の二重ファスナー１０においては、２つのファスナー部分５，６のテープ
７，８がその縁部９において相互に固定されている。その場合、１または複数の
スライド片の円滑なスライド動作が可能となるように、両部分５，６の間に隙間
が設けられるように、固定されている。さらに、２つのファスナー部分５，６の
このように相互に固定された縁部９は、テント２０の別々の部分に取付けられて
いる。
【００２２】
防水のファスナー部分６は、公知の態様で、２つのフレキシブルなテープから
なっている。その１つは膨出した縁部を有し、他は溝付の縁部を有している。防
水ファスナー部分６の膨出した縁部と溝付の縁部とは、スライド片１または１２
を引いてそれらの上に走行させることにより相引寄せられて一体となる。ジッパ
ー型ファスナー部分５は２列の歯状部分を有しており、これらの部分は、スライ
ド片１または１１を引いてその上に走行させることにより相引寄せられて一体と
なる。
【００２３】
２つのファスナー部分５，６をテント２０の別々の部分に取付けるためには、
２つのファスナー部分５，６のテープ７，８の重なり合った縁部を、まず、テン
ト２０の別々の部分に縫い付けて、その後、図２，３に示すように、それぞれの
防水層１３により縫着縁部を被覆するようにすることができる。しかし、ファス
ナー部分５，６をテント２０に取付けるためのこのような縫着方法は問題がある
。
【００２４】
すなわち、手数がかかり、作業性が悪く、コスト高になることである。さらに、
二重ファスナー１０がテント２０の別々の部分に縫着されているので、場合によ
り、防水を保持することができない。すなわち、防水層１３が簡単に剥れるから
である。
【００２５】
縫着方法による前記の問題点を克服するために、ファスナー１０のテープ７，
８の互いに固定された縁部９を、公知の高周波溶着方法により、テント２０の別
々の部分に溶着してもよい。しかし、このような高周波溶着方法の使用は、テー
プ７，８の材料とテント２０の材料によって限定される。すなわち、ジッパー型
ファスナー部分５のテープ７が合成繊維糸より形成され、かつ、テント２０また
は防水ファスナー部分６がＰＶＣ（塩化ビニル）またはＰＵ（ポリウレタン）等
の合成樹脂より形成されている場合には、テープ７をテント２０または防水ファ
スナー部分６に溶着することはほとんど不可能である。そして、これは、前記の
合成樹脂と合成繊維糸の固有の化学的な性質に起因している。
【００２６】
したがって、この発明の１つの実施態様においては、前記のジッパー型ファス
ナー部分５のテープ７は、好ましくは、図６に示すように、公知の合成繊維糸２
３と熱可塑性合成樹脂糸２４とを経糸および緯糸として織成することにより製造
される。この場合において、ジッパー型ファスナー部分５のテープ７の縁部は、
テープ７の熱可塑性合成樹脂糸２４により、高周波溶着方法を用いて、防水ファ
スナー部分６のテープ８とテント２０の別々の部分とに強固に溶着される。
【００２７】
前記の高周波溶着方法は、縫着方法とは異なり、ファスナー１０とテント２０
との間の接合部分において全く孔を残さない。したがって、ファスナー１０とテ
ント２０との間の接合部分に対し信頼性ある防水と大きな強度を与える。このよ
うに高周波溶着方法を用いて形成されたファスナー１０の接合部分は、長期間に
渡り使用されたり大気にさらされた場合においても、変形や損傷がほとんどない
。
【００２８】
したがって、この発明のファスナー１０の予想される寿命はより長くなり、した
がって、テント２０の品質を向上させる。さらに、ファスナー１０をテント２０
に取付ける高周波溶着方法は、縫着方法に比べてより容易であり、より効率がよ
いために、テント２０のコスト安につながる。
【００２９】
前記の二重ファスナー１０において、図３に示すように、ファスナー部分５，
６は、１または複数のスライド片１，１１，１２を引いてその上に走行させるこ
とにより、同時または別個に締付けられる。この場合において、防水ファスナー
部分６はファスナー１０に対してほとんど完全な防水を付与し、これにより、テ
ント２０の内部が湿気により影響されることがより少なくなる。
【００３０】
さらに、防水ファスナー部分６の内部にあるジッパー型ファスナー部分５は、
ファスナー１０の防水を向上させるのみならず、ファスナー１０に強い締付強度
を与え、これにより、ファスナー１０に、外部からの引張力に対する抵抗力を与
える。このようなジッパー型および防水ファスナー部分５，６により、この発明
の二重ファスナー１０は大きな締付強度と優れた防水の双方を付与される。
【図面の簡単な説明】
【００３１】
【図１】この発明の第１の実施例の防水二重ファスナーの構造を示す斜視図である。
【図２】この発明の二重ファスナーの締付前の断面図である。
【図３】この発明の二重ファスナーの締付後の断面図である。
【図４】この発明の他の実施例の防水二重ファスナーの構造を示す斜視図である。
【図５】図４の二重ファスナーの断面図であって、ジッパー型ファスナー部分および防水ファスナー部分の双方に係合した一体のスライド片を示す。
【図６】図４の接合部分「Ｂ」の拡大平面図であって、その二重ファスナーのジッパー型ファスナー部分のテープの織構造を示す。
【図１】
2007050266.tif 000003
【図２】
2007050266.tif 000004
【図３】
2007050266.tif 000005
【図４】
2007050266.tif 000006
【図５】
2007050266.tif 000007
【図６】
2007050266.tif 000008